(57)【特許請求の範囲】
【請求項１】
複数の柱材、横梁および縦梁で構成した立体格子状の鋼製枠体の四隅部の上部に石を充填した石詰め室を形成し、上面から見た四角形の各辺に沿う前記石詰め室相互間に形成される空間部に枠体外面下部から枠体中心側上部に向かって傾斜する傾斜整流板を配置し、前記空間部における前記傾斜整流板の上方に水平整流板を配置し、前記鋼製枠体の中心部における前記水平整流板より上位の位置に、上面から見て中心部の２つの対角線をなす垂直整流板を配置したことを特徴とする人工魚礁。
【請求項２】
前記水平整流板が枠体中心側に向かう、前記傾斜整流板の幅よりも幅狭の短冊型の板であり、かつ、前記傾斜整流板が枠体中心側上部に向かう同一傾斜面内で間隔をあけて設けられていることを特徴とする請求項１記載の人工魚礁。
【発明の詳細な説明】
【０００１】
【発明の属する技術分野】
この発明は、上方に石詰め室を備え下方に魚類居住室を備えた鋼製の高床式の人工魚礁に関する。
【０００２】
【従来の技術】
従来より、複数の柱材、横梁および縦梁で構成した立体構造の鋼製枠体に適宜板材を配置して魚類の居住空間を形成するとともに、前記板材により通過する潮流を制御し、湧昇流を発生させて集魚効果を発揮させるようにした魚礁が知られている。前記板材の配置は種々工夫されているが、板材を鋼製枠体の外面や内部に垂直あるいは水平に配置したもの（特公平３−８１７４号等参）、鋼製枠体の内部については板材を傾斜させて配置したもの（実開平２−２０４６１号等）等がある。
また、籠に石を詰めた石詰め魚礁は一般的であるが、さらに石詰め室を上方に設け下方に魚類居住室を形成した高床式の石詰魚礁（実公平３−５０６８２号等）も知られている。
【０００３】
【発明が解決しようとする課題】
上記の湧昇流の効果を主とする魚礁は、栄養塩類に富む海底近傍の海水を中層、表層に上昇させてプランクトンの発生を促進し、プランクトンを餌とする小魚、小魚を餌とする中魚、さらに大魚という食物連鎖を形成して良好な漁場を得るために有効であり、一方、石詰め魚礁は、藻場を形成しプランクトンや石に付着する飼料生物を育成し、これを食べる種類の魚を棲息させるために有効であるが、上記従来の各魚礁は、湧昇流を発生させる魚礁と石詰め魚礁との両者を適切に組み合わせて、両者の効果を有効に活かすことはされていない。
【０００４】
本発明は、上記事情に鑑みてなされたもので、湧昇流を発生させる魚礁と石詰め魚礁との両者の特徴が有効に生かされて、種々の魚に対する集魚効果を得ることができる人工魚礁を提供することを目的とする。
【０００５】
【課題を解決するための手段】
上記課題を解決する本発明の人工魚礁は、複数の柱材、横梁および縦梁で構成した立体格子状の鋼製枠体の四隅部の上部に石を充填した石詰め室を形成し、上面から見た四角形の各辺に沿う前記石詰め室相互間に形成される空間部に枠体外面下部から枠体中心側上部に向かって傾斜する傾斜整流板を配置し、前記空間部における前記傾斜整流板の上方に水平整流板を配置し、前記鋼製枠体の中心部における前記水平整流板より上位の位置に、上面から見て中心部の２つの対角線をなす垂直整流板を配置したことを特徴とする。
【０００６】
請求項２は、請求項１の人工魚礁において、水平整流板が枠体中心側に向かう、前記傾斜整流板の幅よりも幅狭の短冊型の板であり、かつ、前記傾斜整流板が枠体中心側上部に向かう同一傾斜面内で間隔をあけて設けられていることを特徴とする。
【０００７】
【発明の実施の形態】
以下、本発明の実施の形態を図１〜図４に示す一実施例の人工魚礁１を参照して説明する。図１は本発明の一実施例の人工魚礁１の斜視図、図２は図１の人工魚礁１の上部のみを示した平面図、図３は図２におけるＡ−Ａ断面図、図４は図３におけるＢ−Ｂ断面図である。
この人工魚礁１は、複数の柱材２、横梁３および縦梁４で構成した立体格子状の鋼製枠体５の四隅部の上部に石詰め室６を形成し、上面から見た四角形の各辺に沿う前記石詰め室６相互間に形成される空間部７に枠体外面下部から枠体中心側上部に向かって傾斜する傾斜整流板８を配置し、前記空間部７における前記傾斜整流板８の上方に水平整流板９を配置した構成である。
【０００８】
前記鋼製枠体５は、上面から見た形状が縦横三分による９つの正方形からなる格子状をなしている１段の立体格子構造である。そして、上部の横梁３および縦梁４の若干下方に各横梁３および縦梁４と同じ配置で補助横梁１３および補助縦梁１４を設け、前記石詰め室６は、前記補助横梁１３および補助縦梁１４で形成される正方形枠部分に底スクリーン材１５をすのこ状に並べて設け、上下の横梁３・縦梁４と補助横梁１３・補助縦梁１４との間に複数の縦スクリーン材１６を並べて設けた構成である。この石詰め室６には例えば図２のように石１９が詰め込まれる。なお、図示の石１９は大きいので、流出するおそれはなく、かつ鋼製枠体５を安定させるが、大きさは特に限定されない。
前記傾斜整流板８は、各辺中央の正方形部分に形成される前記空間部７に設けられている。図示例では、各空間部７に上下２枚の傾斜整流板８を間隔をあけて設けており、その上下の傾斜整流板８は、空間部７を形成する枠体外面側の左右の柱材２の各下部から枠体中心側の左右の柱材２の各上部に伸びる左右の斜め材１１に取り付けられている。また、下側の傾斜整流板８は底部（海底部となる）との間に若干の隙間を有し、上側の傾斜整流板８は石詰め室６の底面レベル（補助横梁１３および補助縦梁１４の下面レベル）との間に若干の隙間を有するように配置されている。
また、鋼製枠体５の上面から見た中心部の正方形部分の上部に、上面から見て正方形の２つの対角線をなす垂直整流板１７を取り付けている。
さらに、鋼製枠体５の四隅下方の外面には、四隅底部近傍に陰をつくる三角形の遮蔽板１８を設けている。なお、この遮蔽板１８の斜辺部分はアングル材等で補強している。
なお、使用材料については、例えば、柱材２、上部の横梁３、上部の縦梁４、補助横梁１３、補助縦梁１４等には角パイプを用い、下部の横梁３、下部の縦梁４、斜め材１１、底スクリーン材１５等にはアングル材を用い、縦スクリーン材１６にはフラットバーを用いている。また、柱材２の下端にはベースプレートを溶接固定している。
【０００９】
上記の人工魚礁１において、立体格子状の鋼製枠体５の各辺の中央の空間部７の下部から流入した潮流は、傾斜整流板８により上向きに流れを変えて湧昇流となるとともに、上部の部分的な水平整流板９の存在が渦流を伴わせ、海底の栄養塩類を豊富に含んだ湧昇流とする。その際、垂直整流板１７は、傾斜整流板８および水平整流板９で制御されて送られてきた流れを確実に上方に向ける作用をする。これにより、プランクトンの発生を促進し、プランクトンを食べる例えばイワシ、これを食べる例えばカツオ、マグロ等の食物連鎖が有効に働いて、良好な漁場が形成される。
【００１０】
また、石１９を詰め込まれた四隅の高床式の石詰め室６は、通常の岩場等と同様な藻場を形成し、プランクトンや石に付着する飼料生物を育成し、これを食べる小魚等の棲息を促進する。また、高床式であるから、海底の泥で詰まることもなく、飼料生物にとっても小魚にとっても良好な環境に保たれる。
また、石詰め室６が高床式であるから、その下方の底部は底棲魚の好適な居住空間となる。
また、石詰め室７の下方の底部の隅部近傍には、遮蔽板１８で陰がつくられているので、石詰め室６に棲息している小魚が中魚、大魚に襲われた時に、遮蔽板１８の陰に逃避することができ、小魚が石詰め室６に住みつき増殖することを促進する。
以上のように、湧昇流を発生させる魚礁と石詰め魚礁との両者の効果が有効に生かされる。
【００１１】
【発明の効果】
本発明の構成によれば、立体格子状の鋼製枠体の上面から見た四角形の各辺に沿う石詰め室相互間の空間部に設けられた傾斜整流板および水平整流板並びに中心部の垂直整流板が、流入した潮流を有効に渦流、湧昇流とする効果を奏するので、湧昇流による例えば回遊魚等に対する良好な漁場形成の効果が得られると同時に、前記空間部の両側に位置する石詰め室が藻場を形成して小魚等の棲息を促進し、かつ石詰め室の下方の底部が底棲魚の好適な居住空間となる。このように、湧昇流を発生させる魚礁と石詰め魚礁との両者の特徴が有効に生かされて、種々の魚に対する集魚効果を得ることが可能となる。
【図面の簡単な説明】
【図１】本発明の一実施例の人工魚礁の斜視図である。
【図２】図１の人工魚礁の上部のみを示した平面図である。
【図３】図２におけるＡ−Ａ断面図である。
【図４】図３におけるＢ−Ｂ断面図である。
【符号の説明】
１  人工魚礁
２  柱材
３  横梁
４  縦梁
５  鋼製枠体
６  石詰め室
７  空間部
８  傾斜整流板
９  水平整流板
１３  補助横梁
１４  補助縦梁
１５  底スクリーン材
１６  縦スクリーン材
１７  垂直整流板
１８  遮蔽板
【図１】
0003812857.tif 000002
【図２】
0003812857.tif 000003
【図３】
0003812857.tif 000004
【図４】
0003812857.tif 000005